(57)【要約】      （修正有）【課題】種々のサイズの衣類を効率的に収容可能な利便性が高い収納棚を提供する。【解決手段】第１側板部及び第２側板部と、第１棚板部（上方棚板部７０）と、第１棚板部よりも下方に配置される第２側板部（中間棚板部７３）と、第２棚板部よりも上方に配置される吊り下げ部材を備える。第１棚板部（上方棚板部）の前端部よりも第２側板部（中間棚板部）の前端部が奥側に後退するように配置し、第２棚板部の前端部の前方に空き空間Ｋ６を設け、吊り下げ部材（第１ハンガーパイプ部）の配置位置が、第２棚板部（中間棚板部）の前端部よりも奥側の上方の位置と、空き空間Ｋ６の上方の位置とで変更可能とする。【選択図】図６
0003212465.tif 000002
【実用新案登録請求の範囲】
【請求項１】
立設配置される第１側板部と、
前記第１側板部と間隔をおいて対向するように立設配置される第２側板部と、
前記第１側板部から前記第２側板部に到達するように配置される第１棚板部と、
前記第１棚板部よりも下方において前記第１側板部から前記第２側板部に到達するように配置される第２棚板部と、
前記第１棚板部よりも下方で前記第２棚板部よりも上方において、軸心を前記第１側板部から前記第２側板部に向けて配置される吊り下げ部材と、
を備える収納棚であって、
前記第１棚板部の前端部よりも前記第２棚板部の前端部が奥側に後退し、前記第２棚板部の前端部の前方に空き空間を設け、
前記吊り下げ部材の配置位置を前記第２棚板部の前端部よりも奥側の上方の位置と、前記空き空間の上方の位置とで変更可能とすることを特徴とする収納棚。
【請求項２】
前記第２棚板部を前後に配置される複数の分割部で構成可能とし、
前方側に配置される分割部を省略することで、前記第１棚板部の前端部よりも前記第２棚板部の前端部が奥側に後退するように配置可能としたことを特徴とする請求項１に記載の収納棚。
【請求項３】
前記第２棚板部を前後に配置される複数の分割部で構成可能とし、
前方側に配置される分割部を省略することで、前記第２棚板部の前端部の奥側への後退量を大きくしたことを特徴とする請求項１に記載の収納棚。
【請求項４】
前記第１側板部と前記第２側板部との互いに対向する面の各々には、前記分割部を下方から支持する支持部が設けられ、
個々の分割部には、前記支持部に設けられた当接部に当接し、個々の分割部の前後位置を規制する規制部が設けられることを特徴とする請求項１〜請求項３の何れか一項に記載の収納棚。
【請求項５】
前記吊り下げ部材が、前記第２棚板部の前端部よりも奥側の上方の位置と、前記空き空間の上方の位置とで前後に移動可能に設けられることを特徴とする請求項１〜請求項４の何れか一項に記載の収納棚。
【請求項６】
前記第２棚板部よりも下方において前記第１側板部から前記第２側板部に到達するように配置される第３棚板部を備え、
前記第１棚板部の前端部よりも前記第３棚板部の前端部が奥側に後退するように配置し、前記第３棚板部の前端部の前方に空き空間を設けたことを特徴とする請求項１〜請求項５の何れかに記載の収納棚。
【請求項７】
前記第３棚板部を、前記第２棚板部よりも下方において上下に複数個備えることを特徴とする請求項６に記載の収納棚。
【請求項８】
前記第１側板部を基準として前記第２側板部から遠ざかる位置において、前記第２側板部と間隔をおいて対向するように立設配置される第３側板部と、
前記第２側板部から前記第３側板部に到達するように配置される第４棚板部と、を備えることを特徴とする請求項１〜請求項７の何れかに記載の収納棚。
【請求項９】
立設配置される第１側板部と、
前記第１側板部と間隔をおいて対向するように立設配置される第２側板部と、
前記第１側板部から前記第２側板部に到達するように配置される第１棚板部と、
前記第１棚板部よりも下方において前記第１側板部から前記第２側板部に到達するように配置される第２棚板部と、
前記第１棚板部よりも下方で前記第２棚板部よりも上方において、軸心を前記第１側板部から前記第２側板部に向けて配置される吊り下げ部材と、
を備える収納棚であって、
前記第１棚板部の前端部よりも前記第２棚板部の前端部が奥側に後退し、前記第２棚板部の前端部の前方に空き空間を設け、
前記第１棚板部の板厚が、前記第２棚板部の板厚よりも大きくされることを特徴とする収納棚。
【請求項１０】
立設配置される第１側板部と、
前記第１側板部と間隔をおいて対向するように立設配置される第２側板部と、
前記第１側板部から前記第２側板部に到達するように配置される第１棚板部と、
前記第１棚板部よりも下方において前記第１側板部から前記第２側板部に到達するように配置される第２棚板部と、
前記第１棚板部よりも下方で前記第２棚板部よりも上方において、軸心を前記第１側板部から前記第２側板部に向けて配置される吊り下げ部材と、
を備える収納棚であって、
前記吊り下げ部材を前記第１棚板部の下部に固定配置することを特徴とする収納棚。
【考案の詳細な説明】
【技術分野】
【０００１】
本考案は収納棚に関し、特に、マンション、戸建て住宅、ビル等の建物内に好適に配置される。
【背景技術】
【０００２】
マンション、戸建て住宅等の建物の居住空間に設けられる収納棚として、（１）布団、衣類、家電用品等の生活用品を押入部に収納するための押入収納用の収納棚、及び（２）靴、衣類、（コート等）、家電用品（掃除機等）などの生活用品を玄関部に収納するための玄関収納用の収納棚等が用いられている（特許文献１を参照）。そして、かかる収納棚は、居住空間の施工時に同時に施工されたり、居住空間の施工後に設置・配置されたりする。
【先行技術文献】
【特許文献】
【０００３】
【特許文献１】実登３１６７５６０号公報
【考案の概要】
【考案が解決しようとする課題】
【０００４】
ところで、近年、従来例よりも更に利便性が高い収納棚の出現が望まれている。例えば、種々のサイズの衣類を効率的に収納可能で利便性の高い収納棚の出現が望まれている。
【０００５】
本考案は、上記観点に鑑みてなされたものであり、より利便性が高い収納棚を提供することを目的とする。
【課題を解決するための手段】
【０００６】
本考案の収納棚は、
立設配置される第１側板部と、
前記第１側板部と間隔をおいて対向するように立設配置される第２側板部と、
前記第１側板部から前記第２側板部に到達するように配置される第１棚板部と、
前記第１棚板部よりも下方において前記第１側板部から前記第２側板部に到達するように配置される第２棚板部と、
前記第１棚板部よりも下方で前記第２棚板部よりも上方において、軸心を前記第１側板部から前記第２側板部に向けて配置される吊り下げ部材と、
を備える収納棚であって、
前記第１棚板部の前端部よりも前記第２棚板部の前端部が奥側に後退し、前記第２棚板部の前端部の前方に空き空間を設け、
前記吊り下げ部材の配置位置を前記第２棚板部の前端部よりも奥側の上方の位置と、前記空き空間の上方の位置とで変更可能とすることを特徴とする。
【０００７】
本考案の収納棚では、第２棚板部の前端部が第１棚板部の前端部よりも奥側に後退し、第２棚板部の前端部の前方に空き空間を形成する。そして、吊り下げ部材の配置位置が、第２棚板部の前端部よりも奥側の上方の位置（以下、第１位置という。）と、空き空間（空き空間の下端部）の上方の位置（以下、第２位置という。）とで変更可能とされる。そして、吊り下げ部材の配置位置を第１位置とすると、吊り下げ部材の下方に第２棚板部の上面部に至る距離（以下、第１距離という。）が確保され、吊り下げ部材の配置位置を第２位置とすると、吊り下げ部材の下方に空き空間の下端に至る距離（以下、第２距離という。）が確保される。
【０００８】
このように、吊り下げ部材の配置位置を第１位置とすると、吊り下げ部材の下方に第２棚板部に至る距離（第１距離）が設けられ、第２位置とすると、吊り下げ部材の下方に空き空間の下端に至る第２距離（第１距離よりも長い第２距離）が確保される。このため、吊り下げ部材の配置位置を変更することで、吊り下げ部材の下方に確保される空間幅が変更され、この空間幅に応じて種々のサイズの物品（生活用品等）を好適に収納でき、利便性が高い。このように、本考案によると、吊り下げ部材を第１位置とすると、吊り下げ部材を用いて所定の上下幅の物品を吊り下げることができ、吊り下げ部材を第２位置とすると、吊り下げ部材を用いて所定の上下幅よりも大きな上下幅の物品を吊り下げることができる。換言すると、吊り下げ部材を前後に動かすことで、種々の上下幅の物品を好適に吊り下げることができるため、利便性が高い。
【０００９】
ここで、吊り下げ部材の使用方法を種々選択可能であるが、例えば、ハンガーの吊り下げ部材（ハンガーパイプ）として用いることができる。この場合、吊り下げ部材の前後位置を変更することで、吊り下げ部材の下方に形成される空き空間の上下幅（空間幅）を変更（選択）できるため、種々のサイズの衣類（例えば、丈が長いコート、丈が中位の背広上着、丈の短い子供服等）を好適に吊り下げることができ、利便性が高い。
【００１０】
また、本考案では、
前記第２棚板部を前後に配置される複数の分割部で構成可能とし、
前方側に配置される分割部を省略することで、前記第１棚板部の前端部よりも前記第２棚板部の前端部が奥側に後退するように配置可能としたこととしてもよい。
【００１１】
この場合、第２棚板部を複数の分割部で構成し、前方側に配置される分割部を省略することで、第１棚板部の前端部よりも第２棚板部の前端部が奥側に後退するように配置可能としている。つまり、分割部の使用数を選択することで、「第１棚板部の前端部よりも第２棚板部の前端部が奥側に後退する状態」を構成できる。
【００１２】
更に、本考案では、
前記第２棚板部を前後に配置される複数の分割部で構成可能とし、
前方側に配置される分割部を省略することで、前記第２棚板部の前端部の奥側への後退量を大きくしたこととしてもよい。
【００１３】
この場合、第２棚板部を複数の分割部で構成し、前方側に配置される分割部を省略することで、第１棚板部の前端部よりも第２棚板部の前端部が奥側への後退量を多くしている。つまり、分割部の使用数を選択することで、「第１棚板部の前端部よりも第２棚板部の前端部が奥側に後退する後退量」を大きくできる。
【００１４】
また、本考案では、
前記第１側板部と前記第２側板部との互いに対向する面の各々には、前記分割部を下方から支持する支持部が設けられ、
個々の分割部には、前記支持部に設けられた当接部に当接し、個々の分割部の前後位置を規制する規制部が設けられることとしてもよい。
【００１５】
この場合、第２棚板部を複数の分割部で構成しても、個々の前後位置が規制されるため、分割部が支持部の前方に落下することを防止できる。
【００１６】
また、本考案では、
前記吊り下げ部材が、前記第２棚板部の前端部よりも奥側の上方の位置と、前記空き空間の上方の位置とで前後に移動可能に設けられることとしてもよい。
【００１７】
この場合、吊り下げ部材が第１位置（第２棚板部の前端部よりも奥側の上方の位置）と、第２位置（空き空間の上方の位置）とで前後に移動可能とさせることで、吊り下げ部材の位置変更をスムーズに行うことができるため、より利便性が高い収納棚となる。
【００１８】
更に、本考案では、
前記第２棚板部よりも下方において前記第１側板部から前記第２側板部に到達するように配置される第３棚板部を備え、
前記第１棚板部の前端部よりも前記第３棚板部の前端部が奥側に後退するように配置し、前記第３棚板部の前端部の前方に空き空間を設けたこととしてもよい。
【００１９】
この場合、第２棚板部よりも下方に第３棚板部を備え、第１棚板部の前端部よりも第３棚板部の前端部が奥側に後退し、第２棚板部及び第３棚板部の前端部の前方に空き空間が設けられる。そして、空き空間の上下幅を拡大することもでき、利便性を更に一層向上させることができる。
【００２０】
また、本考案では、
前記第３棚板部を、前記第２棚板部よりも下方において上下に複数個備えることとしてもよい。
【００２１】
この場合、空き空間の上下幅を第３棚板部の個数分に基づいてより大きくすることができ、収納棚の利便性が更に一層、向上する。
【００２２】
また、この場合、「第２棚板部の前端部」よりも「第３棚板部の前端部」を前方側に配置する態様を例示できる。この態様では、最も奥側に位置する第２棚板部の前端部を基準に、その下の第３棚板部の前端部が前方に位置する状態となり、第２棚板部の前端部と第３棚板部の前端部が段差状に並ぶことになる。例えば、第２棚板部の前端部の前方側の位置では、上下長さが長い衣類を収納でき、第２棚板部の前端部の後方の位置では、上下長さが短い衣類を収納できる。
【００２３】
更に、この態様において第３棚板部を複数上下に配置する場合、「より上方に配置される前記第３棚板部の前端部が、より下方に配置される第３棚板部の前端部よりも奥側に後退する」場合も例示でき、この場合、最も奥側に位置する第２棚板部の前端部を基準に、その下の複数の第３棚板部の前端部が上方から下方に行くに従い徐々に前進する状態となり、第２棚板部の前端部と複数の第３棚板部の前端部が段差状に並ぶことになる。この場合、前後位置の差異に基づき、吊り下げ部材が吊り下げる対象物（衣類等）をより細かに選択できるため、収納棚としての利便性をより一層高くすることができる。例えば、最上部の第３棚板部の前端部の前方には第１上下幅の対象物（衣類等）を吊り下げ可能であり、最上部の第３棚板部の前端部とその下の第３棚板部の前端部の間の位置に第１上下幅よりも短い第２上下幅の対象物（衣類等）を吊り下げ可能であり、当該下の第３棚板部の前端部よりも後方には、第２上下幅よりも短い第３上下幅の対象物（衣類等）を吊り下げ可能である。つまり、多様な上下幅の対象物に的確に対処でき、収納棚としての利便性をより一層高くすることができる。
【００２４】
また、本考案では、
前記第１側板部を基準として前記第２側板部から遠ざかる位置において、前記第２側板部と間隔をおいて対向するように立設配置される前記第３側板部と、
前記第２側板部から前記第３側板部に到達するように配置される第４棚板部と、を備えることとしてもよい。
【００２５】
この場合、第３側板部と第４棚板部とを備えるため、収納棚の利便性が更により一層向上する。なお、第４棚板部の数は単数であってもよいし、複数であってもよい。
また、第３側板部は、天板部と底板部との間に立設配置されてもよく、第１棚板部と底板部との間に立設配置されてもよいが、第１棚板部には重量が嵩む生活用品（布団等）を好適に収納できるため、第１棚板部と底板部との間に立設配置されることが好ましい。
【００２６】
更に、本考案では、
立設配置される第１側板部と、
前記第１側板部と間隔をおいて対向するように立設配置される第２側板部と、
前記第１側板部から前記第２側板部に到達するように配置される第１棚板部と、
前記第１棚板部よりも下方において前記第１側板部から前記第２側板部に到達するように配置される第２棚板部と、
前記第１棚板部よりも下方で前記第２棚板部よりも上方において、軸心を前記第１側板部から前記第２側板部に向けて配置される吊り下げ部材と、
を備える収納棚であって、
前記第１棚板部の前端部よりも前記第２棚板部の前端部が奥側に後退し、前記第２棚板部の前端部の前方に空き空間を設け、
前記第１棚板部の板厚が、前記第２棚板部の板厚よりも大きくされることを特徴としてもよい。
【００２７】
この考案の収納棚では、第２棚板部の前端部が第１棚板部の前端部よりも奥側に後退し、第２棚板部の前端部の前方に空き空間を形成する。そして、吊り下げ部材の配置位置が、第１棚板部の下方であるため、第１棚板部の下方に（吊り下げ部材）にハンガーを吊り下げることができ、利便性が高い収納棚となる。しかも、第２棚板部の上方に空きスペースを設けることができ、この空きスペースを各種の生活用品（家電、置物等）の収納スペースとすることができる。
【００２８】
また、第１棚板部の板厚が、第２棚板部の板厚よりも大きく、第１側板部の上方に重量が嵩む生活用品（布団等）を好適に収納できるため、この考案の収納棚は、この点からも利便性が高い。
【００２９】
更に、本考案では、
立設配置される第１側板部と、
前記第１側板部と間隔をおいて対向するように立設配置される第２側板部と、
前記第１側板部から前記第２側板部に到達するように配置される第１棚板部と、
前記第１棚板部よりも下方において前記第１側板部から前記第２側板部に到達するように配置される第２棚板部と、
前記第１棚板部よりも下方で前記第２棚板部よりも上方において、軸心を前記第１側板部から前記第２側板部に向けて配置される吊り下げ部材と、
を備える収納棚であって、
前記吊り下げ部材を前記第１棚板部の下部に固定配置することを特徴としてもよい。
【００３０】
この考案の収納棚においても、第２棚板部の前端部が第１棚板部の前端部よりも奥側に後退し、第２棚板部の前端部の前方に空き空間を形成する。そして、吊り下げ部材の配置位置が、第１棚板部の下方であるため、第１棚板部の下方に（吊り下げ部材）にハンガーを吊り下げることができ、利便性が高い収納棚となる。しかも、第２棚板部の上方に空きスペースを設けることができ、この空きスペースを各種の生活用品（家電、置物等）の収納スペースとすることができる。
【考案の効果】
【００３１】
本考案によると、利便性が高い収納棚を得ることができる。
【図面の簡単な説明】
【００３２】
【図１】実施例１の収納棚の正面図である。
【図２】実施例１の収納棚の縦断面図（図１の１−１断面図）である。
【図３】（ａ）は図１の要部縦断面図（上壁部を左右方向に縦断する縦断面）であり、（ｂ）は上方棚板部（第１棚板部）の縦断面図（上方棚板部を前後に縦断する縦断面図）である。
【図４】実施例１の収納棚においてハンガーパイプの移動機構を示す斜視図である。
【図５】（ａ）は図４のハンガーパイプの移動機構を示す一部横断面図であり、（ｂ）は図１の収納棚において第２棚板部（一方の中間棚板部）及び第３棚板部（他方の中間棚板部）を示す平面図である。
【図６】実施例１の収納棚の使用例を示す縦断面図である。
【図７】実施例１の収納棚の使用例を示す縦断面図である。
【図８】実施例１の収納棚の使用例を示す縦断面図である。
【図９】（ａ）は実施例２の収納棚の特徴を示す一部縦断面図（収納棚を左右方向に縦断する一部縦断面図）であり、（ｂ）は実施例２の収納棚の特徴を示す縦断面図（収納棚を前後方向に縦断する一部縦断面図）である。
【図１０】（ａ）は実施例２の収納棚において支持部材と、ハンガーパイプ部（第１ハンガーパイプ部、第２ハンガーパイプ部）の取付構造を説明するための説明図であり、（ｂ）は実施例２の支持部材とハンガーパイプ部（第１ハンガーパイプ部、第２ハンガーパイプ部）の取付構造を説明するための縦断面図である。
【図１１】（ａ）は実施例３を説明するための正面図であり、（ｂ）は変形例を説明するための説明図である。
【図１２】実施例４の分割体の斜視図である。
【図１３】実施例４において分割突起を説明するための横断面図である。
【図１４】実施例４において分割突起及び分割体を説明するための横断面図である。
【図１５】実施例４において分割突起及び分割体を説明するための説明図である。
【図１６】実施例４において分割突起及び分割体を説明するための平面図である。
【図１７】実施例４の変形例において分割突起及び分割体を説明するための平面図である
【図１８】実施例４の変形例において分割突起及び分割体を説明するための縦断面図である。
【図１９】実施例５の収納棚の一部正面図である。
【図２０】実施例６の収納棚の一部正面図である。
【図２１】実施例６において固定具等を説明するための斜視図である。
【考案を実施するための形態】
【００３３】
次に、本各考案に係わる「収納棚」の最良の形態（以下、「実施例」という。）を図面に従って詳細に説明する。
【００３４】
（１）実施例１
実施例１の収納棚Ｓは、図１〜５に示すように、戸建て住宅若しくはマンションの室内（居住空間）に設けられた「押入部」に組み付けられ、設置されるものである。つまり、押入収納用の収納棚Ｓとして、建物（戸建て住宅、マンション）の施工時に同時に施工された「作りつけタイプの収納棚Ｓ」である。但し、実施例１の収納棚Ｓは、「作りつけタイプの収納棚Ｓ」でなく、建物の施工後に設置・配置された「事後設置タイプの収納棚Ｓ」であってもよい。更に、実施例１の収納棚Ｓの設置箇所は押入部に限定されず、玄関部等のその他の設置箇所、例えば、収納棚Ｓが玄関収納用の収納棚Ｓ等として用いられるものであってもよい。
【００３５】
実施例１の収納棚Ｓは、図１に示すように、第１側板部１０と、第２側板部２０と、天板部３０と、底板部４０と、後板部５０と、上方棚板部７０と、２個の中間棚板部７３、７５と、下方棚板部７７と、第１ハンガーパイプ部８０と、第２ハンガーパイプ部８５と、第１開閉扉部９０Ａと、第２開閉扉部９０Ｂと、を備える。なお、収納棚Ｓを構成する素材は特に限定されないが、例えば、樹脂、木材、金属を例示できる。
【００３６】
第１側板部１０及び第２側板部２０は、側面視が略矩形の板状体として構成され、同一サイズ、同一形状とされている。この第１側板部１０及び第２側板部２０は、肉厚方向を横方向（左右方向）に向けて立設配置され、第１側板部１０及び第２側板部２０において互いに対向する面１０ａ、２０ａの距離が、所定の距離（例えば、１２００ｍｍ若しくは１８００ｍｍ）とされている｛図１、図３（ａ）を参照｝。
【００３７】
天板部３０は、図１及び図２等に示すように、平面視が略矩形の板状体として構成され、第１側板部１０及び第２側板部２０の間であって上端側の部位に配置されている。また、底板部４０も、平面視が略矩形の板状体として構成され、第１側板部１０及び第２側板部２０の間において下端側の部位に配置されている。更に、後板部５０は正面視が略矩形の板状体として構成され、第１側板部１０及び第２側板部２０の間において後端側の部位に立設配置されている（図２及び図５を参照）。
【００３８】
ここで、収納棚Ｓの構成部材（第１側板部１０、第２側板部２０、後板部５０、天板部３０、底板部４０等）の組み付け態様を特に問わないが、当接する部材を接着したり、当接する部材の一方に「ほぞ」を設け、当接する部材の他方に「ほぞ穴」を設け、両者を嵌合したりすることで、組み付ける手法を例示できる。例えば、天板部３０の右端面及び左端面に「ほぞ」を設け、第１側板部１０及び第２側板部２０において互いに対向する面１０ａ、２０ａの上端側に「ほぞ穴」を設け、「ほぞ」と、「ほぞ穴」を嵌合し、天板部３０を第１側板部１０及び第２側板部２０の上端部間に組み込んでもよい。この場合、第１側板部１０及び第２側板部２０の上端面を、天板部３０の上面と略面一としてもよい。
【００３９】
同様に、底板部４０の右端面及び左端面に「ほぞ」を設け、第１側板部１０及び第２側板部２０において互いに対向する面１０ａ、２０ａの下端側に「ほぞ穴」を設け、「ほぞ」と、「ほぞ穴」を嵌合し、底板部４０を第１側板部１０及び第２側板部２０の下部間に組み込んでもよい。この場合、第１側板部１０及び第２側板部２０の下端面を、底板部４０の下面と略面一としてもよい。
【００４０】
また、図１及び図２に示すように、第１側板部１０、第２側板部２０、天板部３０及び底板部４０で略四角枠形状の枠体７８ａを構成した場合、この枠体７８ａの後方の開口部７８ｃを閉鎖するように、後板部５０を配置してもよい（図５）。例えば、この枠体７８ａの後方の開口部７８ｃが、第１側板部１０、第２側板部２０、天板部３０及び底板部４０の後端部を略面一として構成される開口部７８ｃである場合には、当該開口部７８ｃに当接するように後板部５０を配置してもよい。この場合、第１側板部１０の上端面、第２側板部２０の上端面、天板部３０の上面と、後板部５０の上端面を略面一とし、第１側板部１０の下端面、第２側板部２０の下端面、底板部４０の下面と、後板部５０の下端面を略面一とすることができる｛図２を参照｝。
【００４１】
第１開閉扉部９０Ａ及び第２開閉扉部９０Ｂは、図１に示すように、第１側板部１０、第２側板部２０、天板部３０及び底板部４０で構成される枠体７８ａの前面側の開口部７８ｂを閉鎖する。具体的には、向かって左側に配置される第１開閉扉部９０Ａは、第１側板部１０の端部側の上下にヒンジ（図示を省略）を介して開閉可能に装着され、向かって右側に配置される第２開閉扉部９０Ｂは、第２側板部２０の端部側の上下にヒンジ（図示を省略）を介して開閉可能に装着されている。例えば、第１開閉扉部９０Ａの後端面と、第１側板部１０の前端面との間に上下一対にヒンジを配置し、第２開閉扉部９０Ｂの後端面と、第２側板部２０の前端面との間に上下一対のヒンジを配置することで、第１開閉扉部９０Ａ及び第２開閉扉部９０Ｂは上記枠体７８ａの前面側の開口部７８ｂの開閉を行う。
【００４２】
なお、図１は、第１開閉扉部９０Ａ及び第２開閉扉部９０Ｂに開放操作が施され、上記枠体７８ａの前端側の開口部７８ｂを前方に開放した状態を示している。また、上記枠体７８ａの前面部側であって、第１開閉扉部９０Ａの右端側の背後の位置と、第１開閉扉部９０Ａの後面右端側の部位の一方に磁石を配置し、他方に磁石が吸着可能な金属製部材を配置してもよい。同様に、枠体７８ａの前面部側であって、第２開閉扉部９０Ｂの左端側の背後の位置と、第２開閉扉部９０Ｂの後面左端側の部位の一方に磁石を配置し、他方に磁石が吸着可能な金属製部材を配置してもよい。この場合、第１開閉扉部９０Ａや第２開閉扉部９０Ｂが不用意に開放状態となることを防止することができる。
【００４３】
図１及び図２に示すように、上方棚板部７０と、一方の中間棚板部７３と、他方の中間棚板部７５と、下方棚板部７７とは、上記枠体７８ａを上方から下方に区画するように配置されている。つまり、第１側板部１０及び第２側板部２０において互いに対向する面１０ａ、２０ａの間において、上方棚板部７０と、一方の中間棚板部７３と、他方の中間棚板部７５と、下方棚板部７７とが略水平とされつつ、上方から下方に略平行に配置されている。
【００４４】
具体的には、天板部３０と上方棚板部７０の間に第１収納空間Ｋ１が形成され、上方棚板部７０と一方の中間棚板部７３（上方の中間棚板部７３）の間に第２収納空間Ｋ２が形成され、一方の中間棚板部７３と他方の中間棚板部７５（下方の中間棚板部７５）の間に第３収納空間Ｋ３が形成され、他方の中間棚板部７５と下方棚板部７７の間に第４収納空間Ｋ４が形成されている。更に、下方棚板部７７と底板部４０の間に第５収納空間Ｋ５が形成さている。そして、第１収納空間Ｋ１、第２収納空間Ｋ２、第３収納空間Ｋ３、第４収納空間Ｋ４及び第５収納空間Ｋ５は所定の上下幅とされている。
【００４５】
上方棚板部７０と、一方の中間棚板部７３と、他方の中間棚板部７５と、下方棚板部７７は、それぞれ、第１側板部１０及び第２側板部２０において互いに対向する面１０ａ、２０ａとから突出するような状態に配置されている。なお、以下の説明において、第１側板部１０及び第２側板部２０において互いに対向する面１０ａ、２０ａのうちの一方の面１０ａ（第２側板部２０の側を向いた面１０ａ）を第１対向面１０ａと称し、他方の面２０ａ（第１側板部１０の側を向いた面２０ａ）を第２対向面２０ａと称する。
【００４６】
上方棚板部７０は、第１棚板部の一具体例を構成し、図３（ｂ）に示すように、外形が直方体で、下方に開口する略容器形状に構成され、後板部５０にネジ止め固定（図示を省略）された後壁部７０ａと、後壁部７０ａの上縁部から前方に突出する上壁部７０ｂと、上壁部７０ｂの突端から垂下する前壁部７０ｃと、第１対向面１０ａにネジ止め固定された左壁部７０ｄと、第２対向面２０ａにネジ止め固定された右壁部（図示を省略）と、を備える。また、左壁部７０ｄは、上壁部７０ｂの左側縁及び前壁部７０ｃの左側縁と一体となり、右壁部は、上壁部７０ｂの右側縁及び前壁部７０ｃの右側縁と一体となっている。なお、前壁部７０ｃは、上方棚板部７０の強度の面では設けることが好ましく、上方棚板部７０に布団５等の重量の嵩むものを収納できる。重量が嵩むものを収納しないのであれば、前壁部７０ｃは必須ではない。
【００４７】
また、上方棚板部７０の上壁部７０ｂの肉厚は、その下方の中間棚板部７３、７５（分割板７３ａ、７３ｂ、７３ｃ）や下方棚板部７７の肉厚と同一とされているが、後述する実施例５に示すように、上壁部７０ｂの肉厚を下方の中間棚板部７３、７５（分割板７３ａ、７３ｂ、７３ｃ）や下方棚板部７７の肉厚よりも大きくしてもよい。この点については後述する。
【００４８】
一方の中間棚板部７３は、第２棚板部の一具体例を構成し、図１及び図２に示すように、上方棚板部７０の直下に配置されている。そして、一方の中間棚板部７３は、左右に設けられた支持部７２ａ、７２ｂによって左右両端が支持された板状体であり、図５（ｂ）に示すように、３枚の分割板７３ａ、７３ｂ、７３ｃで構成可能となっている。なお、左右の支持部７２ａ、７２ｂは前後に長尺で、左側の支持部７２ａが第１対向面１０ａにネジ止め固定（図示を省略）され、右側の支持部７２ｂが第２対向面２０ａにネジ止め固定（図示を省略）されている。そして、図３（ａ）及び図５（ｂ）に示すように、左右の支持部７２ａ、７２ｂの上面（支持面）７２ｃ、７２ｄが略水平とされつつ、互いに同一の高さに配置され、分割板７３ａ、７３ｂ、７３ｃの左右の端部側の下面を支持可能となっている。
【００４９】
このように、一方の中間棚板部７３（３枚の分割板７３ａ、７３ｂ、７３ｃ）は、図５（ｂ）に示すように、左右の支持部７２ａ、７２ｂの上面（支持面）７２ｃ、７２ｄによって両端を支持可能とされている。ここで、上面（支持面）７２ｃ、７２ｄによって支持可能な分割板７３ａ、７３ｂ、７３ｃは、横方向に長尺な板状体で構成され、前後に略平行に配置されるものである。つまり、分割板７３ａ、７３ｂ、７３ｃの下面左端側を、左側の支持部７２ａの上面（支持面）７２ｃによって下方から着脱可能に支持し、分割板７３ａ、７３ｂ、７３ｃの下面右端側を、右側の支持部７２ｂの上面（支持面）７２ｄによって下方から着脱可能に支持することができる。なお、図５（ｂ）では、前後に隣り合う分割板（「分割板７３ａと分割板７３ｂ」、「分割板７３ｂと分割板７３ｃ」）の間に隙間を有する状態が図示されているが、この隙間を有していないこと（「分割板７３ａと分割板７３ｂが前後に当接し、分割板７３ｂと分割板７３ｃが前後に当接すること）としてもよい。
【００５０】
そして、分割板７３ａ、７３ｂ、７３ｃは、分割部の具体例を構成し、使用する分割板７３ａ、７３ｂ、７３ｃの数を適宜選択することができるが、実施例１では、図２に示すように、一方の中間棚板部７３として、最前方の分割板７３ａ及び分割板７３ａの後の分割板７３ｂを使用せず、最後方の分割板７３ｃのみを使用している。つまり、一方の中間棚板部７３を、最後方の分割板７３ｃで構成している。このため、一方の中間棚板部７３の前端部７３Ｆの前後位置（図２中、右側が前方、左側が後方）が、上方棚板部７０の前端部７０Ｆよりも略「２個の分割板７３ａ、７３ｂの前後幅の分」だけ後退している。
【００５１】
他方の中間棚板部７５は、第３棚板部の一の具体例を構成し、図１及び図２に示すように、上方の中間棚板部７３の直下に配置されている。そして、他方の中間棚板部７５も、一方の中間棚板部７３と同様に、左右に設けられた支持部７２ａ、７２ｂによって左右両端が支持された板状体であり、３枚の分割板７３ａ、７３ｂ、７３ｃで構成可能となっている。また、左右の支持部７２ａ、７２ｂの構成は、一方の中間棚板部７３を支持する左右の支持部７２ａ、７２ｂの構成と同様であり、一方の中間棚板部７３と同様の態様で支持されている。
【００５２】
他方の中間棚板部７５においても、使用する分割板７３ａ、７３ｂ、７３ｃの数を適宜選択することができるが、実施例１では、図２に示すように、他方の中間棚板部７５として、最前方の分割板７３ａを使用せず、後方の２個の分割板７３ｂ、７３ｃを使用している。つまり、他方の中間棚板部７５を後方の２個の分割板７３ｂ、７３ｃで構成している。このため、他方の中間棚板部７５の前端部７５Ｆの前後位置が、上方棚板部７０の前端部７０Ｆよりも、略「分割板７３ａの前後幅の分」だけ後退している。
【００５３】
下方棚板部７７は、第３棚板部の他の具体例を構成する。また、下方棚板部７７の上面は、中間棚板部７３、７５の上面と同様に略水平とされている。つまり、下方棚板部７７も、中間棚板部７３、７５と同様に、左右に設けられた支持部７２ａ、７２ｂによって左右両端が支持された板状体であり、３枚の分割板７３ａ、７３ｂ、７３ｃで構成可能となっている。この場合も、左右の支持部７２ａ、７２ｂの構成は、中間棚板部７３、７５を支持する左右の支持部７２ａ、７２ｂの構成と同様であり、中間棚板部７３、７５と同様の態様で支持されている。
【００５４】
下方棚板部７７においても、中間棚板部７３、７５と同様に、使用する分割板７３ａ、７３ｂ、７３ｃの数を適宜選択することができるが、実施例１では、図２に示すように、下方棚板部７７として、最前方の分割板７３ａを使用せず、後方の２個の分割板７３ｂ、７３ｃを使用している。つまり、下方棚板部７７を後方の２個の分割板７３ｂ、７３ｃで構成している。このため、下方棚板部７７の前端部７７Ｆの前後位置が、上方棚板部７０の前端部７０Ｆよりも、略「分割板７３ａの前後幅の分」だけ後退している。
【００５５】
なお、実施例１では、一方の中間棚板部７３を構成する分割板の数（第２棚板部を構成する分割板の数）を１個とするが、１個に限定されず、２個若しくは３個（全ての分割板７３ａ〜７３ｃ）であってもよい。また、実施例１では、他方の中間棚板部７５及び下方棚板部７７（第３棚板部）を構成する分割板の数を２個とするが、２個に限定されず、１個若しくは３個（全ての分割板７３ａ〜７３ｃ）であってもよい。更に、また、図２、図６〜図８において、実線で示す分割板７３ａ〜７３ｃは使用状態の分割板７３ａ〜７３ｃを示しており、破線で示す分割板７３ａ〜７３ｃは不使用状態の分割板７３ａ〜７３ｃを示している。
【００５６】
実施例１では、両中間棚板部７３、７５及び下方棚板部７７の前方において、他方の中間棚板部７５の前端部７５Ｆの高さ位置で、段差状に狭くなる空き空間Ｋ６が形成される。また、他方の中間棚板部７５及び下方棚板部７７（第３棚板部）の上面部は、中間棚板部７３の上面部と同様に略水平とされている。そして、他方の中間棚板部７５や下方棚板部７７と、一方の中間棚板部７３と、において、仮に分割板７３ａ、７３ｂ、７３ｃの使用数が同じであれば、一方の中間棚板部７３と、他方の中間棚板部７５と、下方棚板部７７とにおいて、前端部７３Ｆ、７５Ｆ，７７Ｆの前後位置は略同一とされ、空き空間Ｋ６は形成されないことになる。なお、実施例１では、下方棚板部７７（第３棚板部）の数を２個とするが、１個であってもよいし、３個とすることもできる。
【００５７】
第１ハンガーパイプ部８０は、吊り下げ部材の具体例を構成するものであり、図１及び図３（ａ）に示すように、上方棚板部７０の下方であって、一方の中間棚板部７３上方において、軸心を第１側板部１０から第２側板部２０に向けて配置されている。つまり、上壁部７０ｂの下方近傍において、軸心を左右に向けて配置されている。
【００５８】
この第１ハンガーパイプ部８０は、図３（ａ）及び図４に示すように、略円柱状のパイプ本体８１ａと、パイプ本体８１ａの両端部に設けられたフランジ部８１ｂ、８１ｃとを備える。ここで、一方のフランジ部８１ｂは、パイプ本体８１ａの左端部においてパイプ本体８１ａの半径外側方向に鍔状に突出し、他方のフランジ部８１ｃは、パイプ本体８１ａの右端部においてパイプ本体８１ａの半径外側方向に鍔状に突出している。
【００５９】
この第１ハンガーパイプ部８０では、パイプ本体８１ａの左端側と右端側がそれぞれ支持部材８２ａ、８２ｂで支持されている。ここで、パイプ本体８１ａの左端側を支持する支持部材８２ａは、第１側板部１０の第１対向面１０ａにネジ止め固定されたブラケットであり、パイプ本体８１ａの右端側を支持する支持部材８２ｂは、第２側板部２０の第２対向面２０ａにネジ止め固定されたブラケットである。
【００６０】
両支持部材８２ａ、８２ｂは互いに鏡面対象な形状を備え、しかも、クランク状の断面形状（第１側板部１０や第２側板部２０に直交する断面形状）を備え、前後に長尺とされている。具体的には、図３（ａ）及び図４に示すように、これらの支持部材８２ａ、８２ｂは、前後に長尺な板状体とされつつ、対向面１０ａ、１０ｂにネジ止め固定される固定代８２ｃと、固定代８２ｃの上端に屈曲状に接続され、前後に長尺で他方の対向面１０ｂ（１０ａ）に向かって略水平に突出する板状体で構成される中間部８２ｄと、前後に長尺で中間部８２ｄの突端部から立ち上げられた板状体で構成される支持本体８２ｅと、を備える。
【００６１】
支持本体８２ｅは、図５（ａ）に示すように、上端縁に４個の支持穴８２ｆ、８２ｇ、８２ｈ、８２ｉを開口させている。これらの支持穴８２ｆ、８２ｇ、８２ｈ、８２ｉは、支持本体８２ｅの前後方向に略等間隔に設けられ、支持本体８２ｅの肉厚方向（左右方向）と、上方に開口している。
【００６２】
また、支持穴８２ｆ、８２ｇ、８２ｈ、８２ｉは、側面視で略半円形の穴形状を備え、パイプ本体８１ａを左右に通過させることができるが、フランジ部８１ｂ、８１ｃを左右に通過させることはできない。そして、両支持部材８２ａ、８２ｂのそれぞれ４個の支持穴８２ｆ、８２ｇ、８２ｈ、８２ｉは、左右に対向する位置（同一線状の位置）に設けられている。
【００６３】
実施例１では、パイプ本体８１ａは左端側が左側の支持部材８２ａの何れかの支持穴８２ｆ（８２ｇ、８２ｈ、８２ｉ）に挿通され、右端側が右側の支持部材８２ｂの対応する支持穴８２ｆ（８２ｇ、８２ｈ、８２ｉ）に挿通される。つまり、パイプ本体８１ａは左端側と右端側が左右の対向する支持穴８２ｆ（８２ｇ、８２ｈ、８２ｉ）に挿通され、支持される。このとき、パイプ本体８１ａの左端のフランジ部８１ｂが左側の支持本体８２ｅの左側方に配置され、パイプ本体８１ａの右端のフランジ部８１ｃが右側の支持本体８２ｅの右側方に配置されるため、パイプ本体８１ａの左右方向への位置決めがなされる。また、パイプ本体８１ａは支持穴８２ｆ（８２ｇ、８２ｈ、８２ｉ）に上方から挿入された状態となるため、パイプ本体８１ａの上下方向への位置決めがなされる。
【００６４】
また、実施例１では、パイプ本体８１ａを持ち上げることで、支持穴８２ｆ（８２ｇ、８２ｈ、８２ｉ）から抜き出すことができる。そして、支持のために使用する支持穴８２ｆ（８２ｇ、８２ｈ、８２ｉ）を選択することで、パイプ本体８１ａの前後位置を変更することができる。つまり、両支持部材８２ａ、８３ｂにおいて最前部の支持穴８２ｆを使用すると、パイプ本体８１ａの位置が最前部となり、前から２番目の支持穴８２ｇを使用すると、パイプ本体８１ａの位置が前から２番目となる。また、前から３番目の支持穴８２ｈを使用すると、パイプ本体８１ａの位置が前から３番目となり、最後部の支持穴８２ｉを使用すると、パイプ本体８１ａの位置が最後部となる。
【００６５】
第２ハンガーパイプ部８５は、図１及び図２に示すように、下方棚板部７７の下方に配置され、第１ハンガーパイプ部８０と同様な構成を備える。そして、第２ハンガーパイプ部８５の左右両端側を支持する支持部材８６ａ、８６ｂも、対向面１０ａ、１０ｂにネジ止め固定されており、図２に示すように、前後方向に略等間隔の支持穴８６ｆ、８６ｇ、８６ｈ、８６ｉを開口させている。そして、使用する支持穴８６ｆ（８６ｇ、８６ｈ、８６ｉ）を選択することで、パイプ本体８１ａの前後位置を変更することができる。なお、図２は、第２ハンガーパイプ部８５のパイプ本体８１ａを、前方から３番目の支持穴８６ｈ（左右の支持穴８６ｈ、８６ｈ）で支持している状態を示している。
【００６６】
次に、図６〜図８を用いて実施例１の収納棚Ｓの使用例を説明する。つまり、図２を用いて前述したように、一方の中間棚板部７３において、前方の２個の分割板７３ａ、７３ｂを不使用とし、最後部の分割板７３ｃのみを使用する。つまり、一方の中間棚板部７３を分割板７３ｃのみで構成する。また、他方の中間棚板部７５及び下方棚板部７７では、最前部の１枚の分割板７３ａを不使用とし、後部の２個の分割板７３ｂ、７３ｃを使用する。つまり、他方の中間棚板部７５及び下方棚板部７７を分割板７３ｂ、７３ｃで構成する。
【００６７】
そして、図６に示すように、中間棚板部７３、７５及び下方棚板部７７の前方には、上方棚板部７０の下方から底板部４０の上面部に至る上下幅が大きな空きスペースが形成される。そして、パイプ本体８１ａの両端側を最前部の支持穴８２ｆで支持した場合、第１ハンガーパイプ部８０に吊り下げるハンガー３には、長尺な衣類２Ａを装着することができる。例えば、第１ハンガーパイプ部８０から底板部４０の上面部近傍に到達する長尺な衣類２Ａ（例えば、大人の防寒用のコート）を装着することができる。
【００６８】
また、一方の中間棚板部７３の上面部（最後部の分割板７３ｃの上面部）や、他方の中間棚板部７５及び下方棚板部７７の上面部（分割板７３ｂ、分割板７３ｃの上面部）には、例えば、タオル、電化製品（掃除機等）、置き物等の各種の日用品６を収納することができる。
【００６９】
図７に示すように、パイプ本体８１ａの両端側を前から２番目の支持穴８２ｇに支持すると、パイプ本体８１ａに吊り下げるハンガー３には、丈が中位の衣類２Ｂ（例えば、背広の上着等）を装着することもできる。この場合においても、一方の中間棚板部７３の上面部（最後部の分割板７３ｃの上面部）、他方の中間棚板部７５及び下方棚板部７７の上面部（分割板７３ｂ、分割板７３ｃの上面部）には、例えば、タオル、電化製品（掃除機等）、置き物等の各種の日用品６を収納することができる。
【００７０】
図８に示すように、パイプ本体８１ａの両端側を前から最後部の支持穴８２ｉに支持すると、パイプ本体８１ａに吊り下げるハンガー３には、丈が短い衣類２Ｃ（例えば、子供服の上着等）を装着することもできる。この場合においても、他方の中間棚板部７５及び下方棚板部７７の上面部（分割板７３ｂ、分割板７３ｃの上面部）には、例えば、タオル、電化製品（掃除機等）、置き物等の各種の日用品６を収納することができる。
【００７１】
特に、他方の中間棚板部７５を構成する分割板７３ｂの上方には、略上方棚板部７０に至る上下幅の空きスペースが形成されるため、上下幅の大きな日用品（例えば、高く積んだタオル７）を収納することができる。
【００７２】
更に、図６〜８に示すように、下方棚板部７７の下方にも、タオル、電化製品（掃除機等）、置き物等の各種の日用品を収納することができる。また、下方棚板部７７下方の第２ハンガーパイプ部８５において、パイプ本体８１ａを何れかの支持穴８２ｆ、８２ｇ、８２ｈ、８２ｉに支持した場合（パイプ本体と支持穴の符号については図２参照）、第２ハンガーパイプ部８５から吊り下げるハンガー３には、丈が短い衣類２Ｄ（例えば、赤ん坊の服等）を装着することもできる。
【００７３】
なお、図示を省略するが、一方の中間棚板部７３において３枚の分割体７３ａ〜７３ｃを使用した場合（一方の中間棚板部７３を３枚の分割体７３ａ〜７３ｃで構成した場合）、第１ハンガーパイプ部８０におけるパイプ本体８１ａを何れの支持穴８２ｆ、８２ｇ、８２ｈ、８２ｉ（図２参照）で支持しても、パイプ本体８１ａから一方の中間棚板部７３の上面部近傍に到達するまでの範囲の丈の衣類（丈の短い衣類であって、例えば、子供服等）を装着できる。
【００７４】
以上のように、実施例１の収納棚Ｓでは、中間棚板部７３、７５及び下方棚板部７７の前端部７３Ｆ、７５Ｆ、７７Ｆを上方棚板部７０の前端部７０Ｆよりも奥側に後退させ、中間棚板部７３、７５及び下方棚板部７７の前端部７３Ｆ、７５Ｆ、７７Ｆの前方に空き空間Ｋ６を形成する。そして、第１ハンガーパイプ部８０のパイプ本体８１ａの配置位置を第１位置（第１ハンガーパイプ部８０を支持穴８２ｇ、８２ｈ若しくは支持穴８２ｉで支持される位置）と、第２位置（第１ハンガーパイプ部８０を支持穴８２ｆで支持する位置）と、で変更可能とされる。そして、パイプ本体８１ａの配置位置を第１位置とすると、第１ハンガーパイプ部８０の下方に中間棚板部７３の上面部に至る上下幅（第１距離）の空きスペースが確保され、第１ハンガーパイプ部８０の配置位置を第２位置とすると、第１ハンガーパイプ部８０の下方に第１距離よりも大きな上下幅の空きスペースが確保される。
【００７５】
このように、第１ハンガーパイプ部８０のパイプ本体８１ａの配置位置を変更することで、第１ハンガーパイプ部８０の下方に確保される空きスペースの上下幅が変更され、この上下幅に応じて種々のサイズの衣類、物品（生活用品等）を好適に収納でき、利便性が高い。つまり、パイプ本体８１ａの配置位置を第１位置とすると、第１ハンガーパイプ部８０を用いて所定の上下幅の物品（衣類等）を吊り下げることができ、パイプ本体８１ａの配置位置を第２位置とすると、第１ハンガーパイプ部８０を用いて所定の上下幅よりも大きな上下幅の物品（衣類等）を吊り下げることができる。換言すると、パイプ本体８１ａを前後に動かすことで、種々の上下幅の物品を好適に吊り下げることができるため、利便性が高い。
【００７６】
しかも、パイプ本体８１ａ（ハンガー３）の配置位置を左右の支持部材８２ａ、８２ｂに沿って変更するだけで、種々のサイズの衣類を好適に収納できる点で使い勝手がよい。
【００７７】
（２）実施例２
実施例２の収納棚では、図９及び図１０に示すように、第１ハンガーパイプ部８０ｄ及び第２ハンガーパイプ部８５ｄの支持構造が異なる点を除いて、実施例１の収納棚Ｓと同様である。
【００７８】
実施例２の収納棚では、図９（ａ）及び（ｂ）に示すように、第１側板部１０の対向面（右側面）１０ａと、第２側板部２０の対向面（左側面）２０ａの各々において、上方棚板部７０（第１棚板部）の下方に４個の取付穴９１ａが設けられ、下方棚板部７７の下方に４個の取付穴９２ａが設けられている。
【００７９】
つまり、第１対向面１０ａにおいて上方棚板部７０（第１棚板部）の取付部位の下方であって、一方の中間棚板部７３（第２棚板部）の取付部位の上方の部位には、前後に４個の取付穴９１ａが略等間隔に、しかも、同一の高さ位置に設けられている。また、第２対向面２０ａにおいて上方棚板部７０（第１棚板部）の取付部位の下方であって、一方の中間棚板部７３（第２棚板部）の取付部位の上方の部位にも、前後に４個の取付穴９１ａが略等間隔に、しかも、同一の高さ位置に設けられている。そして、第１対向面１０ａの４個の取付穴９１ａは、第２対向面２０ａの４個の取付穴９１ａと左右に各々対向しており、左右同一直上に配置されている。
【００８０】
また、図９（ｂ）に示すように、第１対向面１０ａにおいて下方棚板部７７（第３棚板部）の取付部位の下方の部位には、前後に４個の取付穴９２ａが略等間隔に、しかも、同一の高さ位置に設けられている。また、第２対向面２０ａにおいて下方棚板部７７（第３棚板部）の下方の部位にも、前後に４個の取付穴９２ａが略等間隔に、しかも、同一の高さ位置に設けられている。そして第１対向面１０ａの４個の取付穴９２ａは、第２対向面２０ａの４個の取付穴９２ａと左右に対向しており、左右同一直線上に配置されている。
【００８１】
第１ハンガーパイプ部８０ｄと、第２ハンガーパイプ部８５ｄはそれぞれ支持部材９３で両端部を支持されている。この支持部材９３は、図１０（ａ）に示すように、支持本体９３ａと、支持本体９３ａの一端から突出する突起部９３ｂとを備える。このうち、支持本体９３ａは、図１０（ｂ）に示すように、断面形状が半リング形状とされており、半リング形状の中心位置が略Ｕ字形状に凹み、この略Ｕ字形状の凹みによって第１ハンガーパイプ部８０ｄ（パイプ本体８１ａ）や第２ハンガーパイプ部８５ｄ（パイプ本体８１ａ）を受け入れ可能な受部９３ｃを構成している。また、突起部９３ｂは円柱形状とされ、取付穴９１ａ、９２ａに嵌合可能となっている。
【００８２】
但し、実施例２の第１ハンガーパイプ部８０ｄ及び第２ハンガーパイプ部８５ｄは、実施例１の第１ハンガーパイプ部８０及び第２ハンガーパイプ部８５と異なり、フランジ部を備えていない。つまり、実施例１のパイプ本体のみで構成されている。
【００８３】
実施例２では、第１ハンガーパイプ部８０ｄ及び第２ハンガーパイプ部８５ｄのパイプ本体の支持が以下のように行われている。つまり、第１側板部１０の第１対向面（右側面）１０ａと、第２側板部２０の第２対向面（左側面）２０ａにおいて、上方棚板部７０（第１棚板部）の取付部位の下方の部位に設けられた取付穴９１ａには支持部材９３を用いて第１ハンガーパイプ部８０ｄのパイプ本体を支持する。具体的には、第１対向面１０ａに設けられた取付穴９１ａのうちの１つの取付穴９１ａに支持部材９３の突起部９３ｂを嵌合し、第２対向面２０ａにおいて、当該１つの取付穴９１ａと右方向に対向する取付穴９１ａにも支持部材９３の突起部９３ｂを嵌合する。そして、第１対向面１０ａに装着された支持部材９３の受部９３ｃと、第２対向面２０ａに装着された支持部材９３の受部９３ｃとが左右に同一高さ位置で対向する。
【００８４】
しかも、第１対向面１０ａに取り付けられた支持部材９３の受部９３ｃは、上方及び他方の対向面２０ａ方向に開口し、第２対向面２０ａに取り付けられた支持部材９３の受部９３ｃは、上方及び一方の対向面１０ａ方向に開口する。このため、第１対向面１０ａに取り付けられた支持部材９３の受部９３ｃによって、第１ハンガーパイプ部８０ｄのパイプ本体の一端側（左端側）を支持し、第２対向面２０ａに取り付けられた支持部材９３の受部９３ｃによって、パイプ本体の他端側（左端側）を支持することで、第１ハンガーパイプ部８０ｄが水平に支持される。そして、対向面１０ａ、２０ａにおいて、支持部材９３の突起部９３ｂを嵌合する取付穴９１ａを選択することで、第１ハンガーパイプ部８０ｄのパイプ本体の支持位置を前後４箇所より選択することができる。同様に、第２ハンガーパイプ部８５ｄのパイプ本体も、対向面１０ａ、２０ａにおいて、支持部材９３の突起部９３ｂを嵌合する取付穴９２ａを選択することで、支持位置を前後４箇所より選択することができる。
【００８５】
実施例２によると、第１ハンガーパイプ部８０ｄのパイプ本体の配置位置の変更を支持部材９３の取付穴９１ａ、９２ａからの着脱によって行うことを除いて、実施例１と同様な効果を得ることができる。つまり、第１ハンガーパイプ部８０ｄのパイプ本体の配置位置の変更を行うための構造は、実施例１に示す構造に限定されない。
【００８６】
（３）実施例３
実施例３の収納棚では、図１１（ａ）に示すように、第２側板部２０の右側方に第３側板部９６ａを備える点が第１実施例と異なる。つまり、第３側板部９６ａは、第２側板部２０の右側方に間隔をおいて立設配置され、第２側板部２０を収納棚の内部を左右に区切る仕切板部として作用させている。また、第２側板部２０と第３側板部９６ａとの間には、第２側板部２０から第３側板部９６ａに到達するように、第４棚板部９６ｂ、９６ｃが設けられている。
【００８７】
実施例３によると、実施例１の効果に加えて以下の効果を得ることができる。つまり、第２側板部２０の右側方に第３側板部９６ａと、第４棚板部９６ｂ、９６ｃが設けられるため、利便性が更に高くなっている。ここで、実施例３では、上方棚板部７０（第１棚板部）を３点支持する構造（両端部及び左右中間部）を採用するため、上方棚板部７０（第１棚板部）の左右幅が大きかったり、重量が重かったり、上方棚板部７０（第１棚板部）に搭載する日用品の重量が重くなったりしても的確に対応できる。
【００８８】
（４）実施例４
図１２〜図１６を用いて、実施例４の収納棚について説明する。この実施例４の収納棚では、（ａ）分割体７３ａ〜７３ｃが規制部７３Ｋを備える点と、（ｂ）左右の支持部７２ａ、７２ｂを、３個の分割突起７２ｇ、７２ｈ、７２ｉで構成している点が実施例１の収納棚と異なる。
【００８９】
つまり、実施例４の分割体７３ａ〜７３ｃも、実施例１等と同様に、平面視が矩形の板状体で構成されている（図１２を参照）。但し、実施例４の分割体７３ａ〜７３ｃの裏面の四隅からは、規制部７３Ｋが突出している。これらの規制部７３Ｋは、Ｌ字の金具によって構成され、分割体７３ａ〜７３ｃの裏面に固定される固定部７３ｇと、固定部７３ｇの端部から突出する規制本体７３ｈとを備える。また、規制本体７３ｈは肉厚方向を前後方向（分割体７３ａ〜７３ｃの短手方向）に向けて配置される矩形板で構成される。
【００９０】
左右の支持部７２ａ、７２ｂは、図１３〜図１５に示すように、３個の分割突起７２ｇ、７２ｈ、７２ｉで構成され、３個の分割突起７２ｇ、７２ｈ、７２ｉは前後に間隔をおいて配置されている。また、左側の支持部７２ａを構成する分割突起７２ｇ、７２ｈ、７２ｉの各々は、第１対向面１０ａにネジ止め固定（図示を省略）され、右側の支持部７２ｂを構成する分割突起７２ｇ、７２ｈ、７２ｉの各々は、第２対向面２０ａにネジ止め固定（図示を省略）されている。そして、左右の分割突起７２ｇ、７２ｈ、７２ｉの各々は、上面（支持面）７２ｊ、７２ｋが略水平とされつつ、互いに同一の高さに配置され、分割板７３ａ、７３ｂ、７３ｃの左右の端部側の下面を支持可能となっている。
また、左右の分割突起７２ｇ、７２ｈ、７２ｉの各々は、図１５に示すように、収納棚の前方を向く前端面７２ｐと、収納棚の後方を向く後端面７２ｑとを備え、前端面７２ｐ及び後端面７２ｑが「当接部」の具体例を構成する。
【００９１】
実施例４の収納棚においても、実施例１の収納棚と同様に、左右の支持部７２ａ、７２ｂの上面（支持面）によって両端を支持可能とされている。そして、分割板７３ａ、７３ｂ、７３ｃの下面左端側を、第１対向面１０ａから突出する分割突起７２ｇ、７２ｈ、７２ｉの上面（支持面）７２ｊによって下方から着脱可能に支持する。また、分割板７３ａ、７３ｂ、７３ｃの下面右端側を、第２対向面２０ａから突出する分割突起７２ｇ、７２ｈ、７２ｉの上面（支持面）７２ｋによって下方から着脱可能に支持する。
【００９２】
ここで、実施例４の収納棚においても、前後に隣り合う分割板（「分割板７３ａと分割板７３ｂ」、「分割板７３ｂと分割板７３ｃ」）の間に隙間を有する状態が図示されているが、この隙間を有していないこと（「分割板７３ａと分割板７３ｂが前後に当接し、分割板７３ｂと分割板７３ｃが前後に当接すること）としてもよい。また、分割突起７２ｇ、７２ｈ、７２ｉの前後幅は、個々の分割体７３ａ〜７３ｃにおいて、その裏面左端寄り及び裏面右端寄りにおいて、前後に対向する規制本体７２ｈの間隔よりも大きくされている（図１２参照）。
また、実施例４の収納棚において、一方の中間棚板部７３、他方の中間棚板部７５、下方棚板部７７において、使用する分割板７３ａ、７３ｂ、７３ｃの数を適宜選択することができる。
【００９３】
実施例４の収納棚では、個々の分割板７３ａ、７３ｂ、７３ｃを対応する分割突起７２ｇ、７２ｈ、７２ｉに搭載する。例えば、図１４及び図１５（ａ）に示すように、最後部左右の分割突起７２ｉで分割板７３ｃを支持し、その他の分割突起７２ｇ、７２ｈで分割板７３ａ、７３ｂを支持しないこととすると、中間棚板部７３、７５、下方棚板部７７の前端部前方が、第１の量だけ開放される。また、図１５（ｂ）に示すように、後部の２個の分割突起７２ｈ、７２ｊで分割板７３ｂ、７３ｃを支持し、最前方の分割突起７２ｇで分割板７３ａを支持しないこととすると、中間棚板部７３、７５、下方棚板部７７の前端部前方が、第１の量よりも少ない第２の量だけ開放される。このように、実施例４の収納棚においても、使用する分割板７３ａ、７３ｂ、７３ｃの数を適宜選択することで、中間棚板部７３、７５、下方棚板部７７の前端部前方の開放量を選択することができる。
【００９４】
実施例４の収納棚では、各分割板７３ａ、７３ｂ、７３ｃを対応する分割突起７２ｇ、７２ｈ、７２ｉに搭載すると、当該搭載された分割板７３ａ、７３ｂ、７３ｃの規制部７３Ｋ（分割体７３ａ、７３ｂ、７３ｃの下面左端寄り及び下面左端寄りにおいて前後に対向する規制本体７３ｈ）が、分割板７３ａ、７３ｂ、７３ｃを前後に挟み込む。このため、対応する分割突起７２ｇ、７２ｈ、７２ｉに搭載された各分割板７３ａ、７３ｂ、７３ｃは、前後に位置決めされた状態となる。
【００９５】
実施例４によると、実施例１の効果に加えて以下の効果を得ることができる。つまり、分割板７３ａ、７３ｂ、７３ｃに手が不用意に触れたとき、分割板７３ａ、７３ｂ、７３ｃの前後位置がずれたり、落下することを防止できる。
なお、規制部の構造は、実施例４に示す構造に限定されない。例えば、図１７及び１８の変形例に示すように、左右の分割突起７２ｇ、７２ｈ、７２ｉの上面（支持面）７２ｊ、７２ｋに一個若しくは複数個の位置決め孔７４ｍを設ける（図１３〜図１５も参照）。そして、各分割板７３ａ、７３ｂ、７３ｃの下面左端寄り及び下面右端寄りに位置決め突起７３ｍを設ける。そして、個々の分割板７３ａ、７３ｂ、７３ｃを対応する分割突起７２ｇ、７２ｈ、７２ｉに搭載する際に、対応する位置決め突起７３ｍを位置決め孔７４ｍにはめ込むことで、対応する分割突起７２ｇ、７２ｈ、７２ｉに搭載された各分割板７３ａ、７３ｂ、７３ｃは、前後に位置決めされた状態とされる。この場合、位置決め突起７３ｍの突端部７３ｎが、支持部７２ａ、７２ｂの下面の下方に突出してもよい。かかる場合、作業者の指で突端部７３ｎを上方に押し上げることで、個々の分割板７３ａ、７３ｂ、７３ｃを対応する分割突起７２ｇ、７２ｈ、７２ｉから取り外す作業を、より効率的に行うことができる。
【００９６】
（５）実施例５
実施例５の収納棚では、図１９に示すように、上方棚板部７０の肉厚を、その下方の中間棚板部７３、７５（分割板７３ａ、７３ｂ、７３ｃ）や下方棚板部７７の肉厚よりも大きくし、上方棚板部７０の剛性が、中間棚板部７３、７５や下方棚板部７７の剛性よりも高くされている。
【００９７】
実施例５によると、実施例１の効果に加えて以下の効果を得ることができる。つまり、上方棚板部７０（第１棚板部）の板厚が、一方の中間棚板部７３（第２棚板部）の板厚よりも大きくされ、上方棚板部７０（第１棚板部）の剛性が確保されているため、上方棚板部７０（第１棚板部）上に搭載したい生活用品（布団等）の重量が嵩んでいたり、サイズが大きかったりしても、好適に対応できる。なお、上方棚板部７０の裏面に補強用リブを設けることによって、上方棚板部７０の剛性を高めることもできる。
【００９８】
（６）実施例６
実施例６の収納棚では、図２０及び２１に示すように、第１ハンガーパイプ部８０を、上方棚板部７０に固定状態で吊り下げて構成している。
実施例６の第１ハンガーパイプ部８０は、略円柱状のパイプ本体８１ａと、その両端を固定する固定具８１Ａとを備える。つまり、実施例６では、上方棚板部７０の下面の左端寄り及び右端寄りには、それぞれ固定具８１Ａが装着され、パイプ本体８１ａの左右両端が固定的に支持されている。
【００９９】
この固定具８１Ａは、所謂「アイボルト」を用いて構成され、上方棚板部７０にネジ込まれるボルト部８１Ｂと、ボルト部８１Ｂの頭部に一体化された挿通部８１Ｃと、を備える。この挿通部８１Ｃは、リング状に構成されてパイプ本体８１ａの端部を挿入可能である。そして、左右の固定具８１Ａが、挿通部８１Ｃの軸心を左右に向け、同一の高さに取り付けられているため、パイプ本体８１ａは正面視で左右に水平に配置されている。
【０１００】
実施例６によると、第１ハンガーパイプ部８０が前後に移動しないことを除いて、実施例１と同様な効果を得ることができる。但し、固定具８１Ａの取付位置を前後にずらすことで、第１ハンガーパイプ部８０の取付位置を変更することができる。
【０１０１】
尚、本各考案の範囲は前記各実施例に示す具体的な態様に限定されず、本各考案の範囲内で種々の変形例を例示できる。即ち、図１１（ｂ）の変形例に示すように、一方の中間棚板部７３（第２棚板部）、他方の中間棚板部７５（第３棚板部）、下方棚板部７７（第３棚板部）を前後に伸縮可能としてもよい。この場合、例えば、第１ハンガーパイプ部８０の支持位置（９８ｆ、９８ｇ、９８ｈ、９８ｉ）の前後に応じて、一方の中間棚板部７３（第２棚板部）、他方の中間棚板部７５（第３棚板部）、下方棚板部７７を前後に伸縮させることができる。ここで、図１１（ｂ）に示す具体例では、前方から２番目の支持穴９８ｇを使用する場合において、一方の中間棚板部７３、他方の中間棚板部７５及び下方棚板部７７のうちの少なくも１個（特に、一方の中間棚板部７３）の長さを短縮し、その前端部の位置を第１ハンガーパイプ部８０の支持位置９８ｇよりも後方とし、当該前端部の前方に空きスペースを確保する場合を例示している。
【０１０２】
また、図示を省略するが、本発明の収納棚の変形例として、第１ハンガーパイプ部８０、８０ｄの前後位置を変更不能とする態様（請求項９の考案に対応する態様）を例示できる。また、請求項９の考案が、請求項２、請求項３、請求項４、請求項６〜請求項８のうちの少なくとも一項の考案の特徴を備えてもよい。更に、請求項１０の考案が、請求項２、請求項３、請求項４、請求項６〜請求項８のうちの少なくとも一項の考案の特徴を備えてもよい。
【０１０３】
更に、本考案の収納棚には、廃品回収の対象品（新聞紙、雑誌）、ペットボトル飲料等も収納できる。また、本考案の収納棚には、使用頻度が頻繁な掃除機、使用頻度が掃除機等よりも低い「生活用品（例えば、ゴルフクラブのキャリーバッグ、釣り竿やバット等）」を収納することもできる。更に、季節になると使用し、季節から外れると使用しない季節物（例えば、季節物の衣類、季節物の電化製品（扇風機））を収納することもできる。これらの場合、中間棚板部７３、７５、下方棚板部７７において、後方の邪魔になり難い箇所（例えば、後方の分割板７３ｃの上面部）に廃品回収の対象品、ペットボトル飲料、使用頻度が低い生活用品、季節物を配置し、中間棚板部７３、７５及び下方棚板部７７の前方を空きスペースとし、衣類等を収納することが好適である。
【産業上の利用可能性】
【０１０４】
本考案は、例えば、マンション、戸建て住宅、ビル等の建物の製造、販売、施工等を行う分野や、収納棚の製造、販売、施工、加工等を行う分野で利用可能である。
【符号の説明】
【０１０５】
Ｓ；収納棚、１０；第１側板部、２０；第２側板部、３０；天板部、４０；底板部、５０；後板部、７０；上方棚板部（第１棚板部）、７３；一方の中間棚板部（第２棚板部）、７５；他方の中間棚板部（第３棚板部）、７７；下方棚板部（第３棚板部）、８０；第１ハンガーパイプ部（吊り下げ部材）、８５；第２ハンガーパイプ部、９０Ａ；第１開閉扉部、９０Ｂ；第２開閉扉部。
【図１】
0003212465.tif 000003
【図２】
0003212465.tif 000004
【図３】
0003212465.tif 000005
【図４】
0003212465.tif 000006
【図５】
0003212465.tif 000007
【図６】
0003212465.tif 000008
【図７】
0003212465.tif 000009
【図８】
0003212465.tif 000010
【図９】
0003212465.tif 000011
【図１０】
0003212465.tif 000012
【図１１】
0003212465.tif 000013
【図１２】
0003212465.tif 000014
【図１３】
0003212465.tif 000015
【図１４】
0003212465.tif 000016
【図１５】
0003212465.tif 000017
【図１６】
0003212465.tif 000018
【図１７】
0003212465.tif 000019
【図１８】
0003212465.tif 000020
【図１９】
0003212465.tif 000021
【図２０】
0003212465.tif 000022
【図２１】
0003212465.tif 000023
【手続補正書】
【提出日】平成29年7月12日(2017.7.12)
【手続補正１】
【補正対象書類名】実用新案登録請求の範囲
【補正対象項目名】全文
【補正方法】変更
【補正の内容】
【実用新案登録請求の範囲】
【請求項１】
立設配置される第１側板部と、
前記第１側板部と間隔をおいて対向するように立設配置される第２側板部と、
前記第１側板部から前記第２側板部に到達するように配置される第１棚板部と、
前記第１棚板部よりも下方において前記第１側板部から前記第２側板部に到達するように配置される第２棚板部と、
前記第１棚板部よりも下方で前記第２棚板部よりも上方において、軸心を前記第１側板部から前記第２側板部に向けて配置される吊り下げ部材と、
を備える収納棚であって、
前記第１棚板部の前端部よりも前記第２棚板部の前端部が奥側に後退し、前記第２棚板部の前端部の前方に空き空間を設け、
前記吊り下げ部材の配置位置を前記第２棚板部の前端部よりも奥側の上方の位置と、前記空き空間の上方の位置とで変更可能とすることを特徴とする収納棚。
【請求項２】
前記第２棚板部を前後に配置される複数の分割部で構成可能とし、
前方側に配置される分割部を省略することで、前記第１棚板部の前端部よりも前記第２棚板部の前端部が奥側に後退するように配置可能としたことを特徴とする請求項１に記載の収納棚。
【請求項３】
前記第２棚板部を前後に配置される複数の分割部で構成可能とし、
前方側に配置される分割部を省略することで、前記第２棚板部の前端部の奥側への後退量を大きくしたことを特徴とする請求項１に記載の収納棚。
【請求項４】
前記第１側板部と前記第２側板部との互いに対向する面の各々には、前記分割部を下方から支持する支持部が設けられ、
個々の分割部には、前記支持部に設けられた当接部に当接し、個々の分割部の前後位置を規制する規制部が設けられることを特徴とする請求項２又は請求項３に記載の収納棚。
【請求項５】
前記吊り下げ部材が、前記第２棚板部の前端部よりも奥側の上方の位置と、前記空き空間の上方の位置とで前後に移動可能に設けられることを特徴とする請求項１〜請求項４の何れか一項に記載の収納棚。
【請求項６】
前記第２棚板部よりも下方において前記第１側板部から前記第２側板部に到達するように配置される第３棚板部を備え、
前記第１棚板部の前端部よりも前記第３棚板部の前端部が奥側に後退するように配置し、前記第３棚板部の前端部の前方に空き空間を設けたことを特徴とする請求項１〜請求項５の何れかに記載の収納棚。
【請求項７】
前記第３棚板部を、前記第２棚板部よりも下方において上下に複数個備えることを特徴とする請求項６に記載の収納棚。
【請求項８】
前記第１側板部を基準として前記第２側板部から遠ざかる位置において、前記第２側板部と間隔をおいて対向するように立設配置される第３側板部と、
前記第２側板部から前記第３側板部に到達するように配置される第４棚板部と、を備えることを特徴とする請求項１〜請求項７の何れかに記載の収納棚。
【請求項９】
立設配置される第１側板部と、
前記第１側板部と間隔をおいて対向するように立設配置される第２側板部と、
前記第１側板部から前記第２側板部に到達するように配置される第１棚板部と、
前記第１棚板部よりも下方において前記第１側板部から前記第２側板部に到達するように配置される第２棚板部と、
前記第１棚板部よりも下方で前記第２棚板部よりも上方において、軸心を前記第１側板部から前記第２側板部に向けて配置される吊り下げ部材と、
を備える収納棚であって、
前記第１棚板部の前端部よりも前記第２棚板部の前端部が奥側に後退し、前記第２棚板部の前端部の前方に空き空間を設け、
前記第１棚板部の板厚が、前記第２棚板部の板厚よりも大きくされることを特徴とする収納棚。
【請求項１０】
立設配置される第１側板部と、
前記第１側板部と間隔をおいて対向するように立設配置される第２側板部と、
前記第１側板部から前記第２側板部に到達するように配置される第１棚板部と、
前記第１棚板部よりも下方において前記第１側板部から前記第２側板部に到達するように配置される第２棚板部と、
前記第１棚板部よりも下方で前記第２棚板部よりも上方において、軸心を前記第１側板部から前記第２側板部に向けて配置される吊り下げ部材と、
を備える収納棚であって、
前記吊り下げ部材を前記第１棚板部の下部に固定配置することを特徴とする収納棚。